(57)【要約】【課題】本発明は、優れた視覚効果を有するタッチ装置を提供することを目的とする。【解決手段】本発明のタッチ装置は、複数のタッチ電極を備え、各タッチ電極は、複数の微小電極及び複数の接続線路を備え、複数の微小電極は、複数の接続線路を介して互いに電気的に接続し、各微小電極は、第一方向に沿う第一長さ及び第一方向と垂直になしている第二方向に沿う第二長さを備え、第一長さは、第一方向に沿った最大長さであり、第二長さは、第二方向に沿った最大長さであり、第一長さ及び第二長さは、それぞれ８０μｍより小さく、或いは等しい。【選択図】図１
2016224902.tif 000002
【特許請求の範囲】
【請求項１】
複数のタッチ電極を備えるタッチ装置において、
各タッチ電極は、複数の微小電極及び複数の接続線路を備え、前記複数の微小電極は、前記複数の接続線路を介して互いに電気的に接続し、各微小電極は、第一方向に沿う第一長さ及び前記第一方向と垂直になる第二方向に沿う第二長さを備え、前記第一長さは、前記第一方向に沿った最大の長さであり、前記第二長さは、前記第二方向に沿った最大の長さであり、前記第一長さ及び前記第二長さは、それぞれ８０μｍより小さく、或いは等しいことを特徴とするタッチ装置。
【請求項２】
各微小電極は、互いに平行する第一辺と第二辺、前記第一辺の一端及び前記第二辺の一端と接続する第三辺、前記第一辺の別の一端及び前記第二辺の別の一端と接続する第四辺を備え、前記第一辺と前記第一方向との間に形成された夾角を第一夾角と設定し、前記第一夾角の角度は、９０度より小さいことを特徴とする請求項１に記載のタッチ装置。
【請求項３】
前記第三辺と前記第四辺は、互いに平行して、各微小電極が平行四辺形の形状であることを特徴とする請求項２に記載のタッチ装置。
【請求項４】
各微小電極は、少なくとも１つの開口が設けられていることを特徴とする請求項１から３のいずれか１項に記載のタッチ装置。
【請求項５】
前記第三辺及び前記第四辺は、それぞれ鋸歯状を呈すことを特徴とする請求項２に記載のタッチ装置。
【請求項６】
各微小電極は、複数のサブ電極を備え、前記複数のサブ電極の配列が平行四辺形を形成して、前記微小電極が平行四辺形を形成することを特徴とする請求項２に記載のタッチ装置。
【請求項７】
前記複数のサブ電極は、三角形を呈すことを特徴とする請求項６に記載のタッチ装置。
【請求項８】
前記複数の微小電極は、第一微小電極及び第二微小電極を備え、前記第一微小電極は、前記第二微小電極と第一対称軸に対して対称し、前記第一対称軸は、前記第一方向に沿って延在されていることを特徴とする請求項２に記載のタッチ装置。
【請求項９】
各タッチ電極は、前記複数の微小電極との間に設置されたダミー電極を備え、前記ダミー電極は、前記微小電極と前記複数の接続線路とそれぞれ電気的絶縁していることを特徴とする請求項１に記載のタッチ装置。
【請求項１０】
前記ダミー電極及び前記微小電極の構造は、同じであり、且つ同じの工程で形成されることを特徴とする請求項9に記載のタッチ装置。
【請求項１１】
前記タッチ装置は、前記複数の微小電極との間に設置されたダミー電極を備え、前記ダミー電極は、前記複数のタッチ電極と電気的絶縁していることを特徴とする請求項１に記載のタッチ装置。
【請求項１２】
前記第一長さ及び前記第二長さは、それぞれ５０μｍより大きく、或いは等しいことを特徴とする請求項１に記載のタッチ装置。
【請求項１３】
前記複数のタッチ電極は、マトリックス式に配列して、単層の自己容量式タッチ装置が形成され、各タッチ電極は、１つの導線を介して１つのタッチ回路と接続されることを特徴とする請求項１に記載のタッチ装置。
【請求項１４】
各タッチ電極は、第三方向に沿って延在した第一タッチ導線線路であり、前記タッチ装置は、第四方向に沿って延在し、且つ前記第一タッチ導線線路と絶縁交叉されている第二タッチ導線線路を備え、前記第一タッチ導線線路及び前記第二タッチ導線線路は、互いに絶縁し、且つ相互容量式タッチ装置を構成することを特徴とする請求項１に記載のタッチ装置。
【請求項１５】
前記第三方向は、前記第四方向と異なる方向なので、前記第一タッチ導線線路及び前記第二タッチ導線線路は、互いに絶縁して交叉していることを特徴とする請求項１４に記載のタッチ装置。
【請求項１６】
前記第三方向は、前記第一方向と同じ方向であり、前記第四方向は、前記第二方向と同じ方向であることを特徴とする請求項１４に記載のタッチ装置。
【請求項１７】
前記タッチ装置は、ディスプレイパネルを備え、前記ディスプレイパネルは、前記第一方向に沿って延在した第一駆動線路、前記第二方向に沿って延在した第二駆動線路、前記第一駆動線路と前記第二駆動線路とが交叉して形成した複数のマトリックスに配列したピクセル区域を備えることを特徴とする請求項１に記載のタッチ装置。
【請求項１８】
前記タッチ装置は、第一基板、第二基板、前記第一基板と前記第二基板との間に設置されたディスプレイ媒体層を備え、前記第一基板は、色フィルタ基板であり、前記第二基板は、薄膜トランジスタ基板であり、前記第一駆動線路及び前記第二駆動線路は、前記第一基板に形成され、前記複数のタッチ電極は、前記第一基板或いは前記第二基板に形成されることを特徴とする請求項１７に記載のタッチ装置。
【請求項１９】
前記タッチ装置は、ディスプレイパネルを備え、前記複数のタッチ電極は、直接前記ディスプレイパネルに形成し、或いは接着剤によって前記ディスプレイパネルに接着されることを特徴とする請求項１に記載のタッチ装置。
【発明の詳細な説明】
【技術分野】
【０００１】
本発明は、タッチ装置に関するものである。
【背景技術】
【０００２】
従来のタッチ装置は、複数のタッチ電極を備えるが、タッチ電極パターンの可視性がよくない。即ち、ある特定な角度でタッチ電極の輪郭及びパターンが見えられる。例えば、モアレ現象(ｍｏｉｒｅ)が発生して、タッチ装置の視覚効果及び体験性がよくない。特に、タッチ装置をディスプレイパネルに使用する際、モアレ現象がもっと発生しやすい。
【発明の概要】
【発明が解決しようとする課題】
【０００３】
以上の問題点に鑑みて、本発明は、優れた視覚効果を有するタッチ装置を提供することを目的とする。
【課題を解決するための手段】
【０００４】
上記の課題を解決するために、本発明のタッチ装置は、複数のタッチ電極を備え、各タッチ電極は、複数の微小電極及び複数の接続線路を備え、複数の微小電極は、複数の接続線路を介して互いに電気的に接続し、各微小電極は、第一方向に沿う第一長さ及び第一方向と垂直になる第二方向に沿う第二長さを備え、第一長さは、第一方向に沿った最大長さであり、第二長さは、第二方向に沿った最大長さであり、第一長さ及び第二長さは、それぞれ８０μｍより小さく、或いは等しい。
【発明の効果】
【０００５】
本発明のタッチ装置のタッチ電極は、複数の微小電極を備え、各微小電極の第一長さ及び第二長さは、それぞれ８０μｍより小さく、このサイズでは微小電極が観察し難く、タッチ電極の輪郭及びパターンが観察し難いので、タッチ装置の視覚効果及び体験性を向上させる。
【図面の簡単な説明】
【０００６】
【図１】本発明の第一実施例に係るタッチ装置の正面図である。
【図２】図１に示したタッチ装置の部分拡大図である。
【図３】本発明の第二実施例に係るタッチ装置の部分正面図である。
【図４】本発明の第三実施例に係るタッチ装置の部分正面図である。
【図５】本発明の第四実施例に係るタッチ装置の部分正面図である。
【図６】本発明の第五実施例に係るタッチ装置の部分正面図である。
【図７】本発明の第六実施例に係るタッチ装置の部分正面図である。
【図８】本発明の第七実施例に係るタッチ装置の部分正面図である。
【図９】本発明の第八実施例に係るタッチ装置の部分正面図である。
【図１０】本発明の第九実施例に係るタッチ装置の部分正面図である。
【図１１】図１０に示したタッチ装置の第一タッチ導電線の構造図である。
【図１２】図１０に示したタッチ装置の第二タッチ導電線の構造図である。
【図１３】本発明の第十実施例に係るタッチ装置の部分正面図である。
【図１４】本発明の第十一実施例に係るタッチ装置の部分正面図である。
【図１５】図１４に示したタッチ装置のピクセルの構造図である。
【図１６】本発明の第十二実施例に係るタッチ装置のピクセルの構造図である。
【図１７】本発明の第十三実施例に係るタッチ装置の構造図である。
【図１８】本発明の第十四実施例に係るタッチ装置の構造図である。
【発明を実施するための形態】
【０００７】
図１に示したように、第一実施例に係るタッチ装置１００は、タッチ電極層１１０及びタッチ電極層１１０と接続するタッチ回路１３０を備える。タッチ電極層１１０は、複数のタッチ電極１１２及び複数の導線１１４を備える。各タッチ電極１１２は、対応する１つの導線１１４を介してタッチ回路１３０と電気的に接続される。本実施形態において、複数のタッチ電極１１２は、マトリックス式に配列して、単層の自己容量式タッチ装置が形成され、各タッチ電極１１２は、１つの導線１１４を介して１つのタッチ回路１３０の１つの入力端と接続される。
【０００８】
図２に示したように、各タッチ電極１１２は、複数の微小電極１１６及び複数の接続線路１１８を備える。複数の微小電極１１６は、複数の接続線路１１８と電気的に接続され、各微小電極１１６は、第一方向Ｘに沿う第一長さＸ１及び第一方向Ｘと垂直になる第二方向Ｙに沿う第二長さＹ１を備える。第一長さＸ１は、第一方向Ｘに沿う最大の長さであり、第二長さＹ１は、第二方向Ｙに沿う最大の長さである。第一長さＸ１及び第二長さＹ１は、それぞれ８０μｍより小さく、或いは等しい。好ましくは、第一長さＸ１及び第二長さＹ１は、それぞれ５０μｍより大きく、或いは等しい。
【０００９】
各微小電極１１６は、互いに平行する第一辺１１６１と第二辺１１６２、第一辺１１６１の一端及び第二辺１１６２の一端と接続する第三辺１１６３、第一辺１１６１の別の一端及び第二辺１１６２の別の一端と接続する第四辺１１６４を備える。第一辺１１６１と第一方向Ｘとの間に形成された夾角を第一夾角θ１と設定し、第一夾角θ１の角度は、９０度より小さい。好ましくは、第一夾角θ１の角度は、３０度より大きく、６０度より小さくて、例えば、４５度が好ましい。第三辺１１６３と第四辺１１６４は、互いに平行して、各微小電極１１６が平行四辺形の形状である。第三辺１１６３及び第四辺１１６４は、それぞれ第一方向Ｘに沿って延在されている。第一長さＸ１は、第三辺１１６３或いは第四辺１１６４の長さＸ１であり、第二長さＹ１は、第三辺１１６３と第四辺１１６４との間の距離であり、即ち、平行四辺形の高さである。
【００１０】
複数の微小電極１１６を第一微小電極１１６ａと第二微小電極１１６ｂとに割合し、第一微小電極１１６ａと第二微小電極１１６ｂとは、対称軸Ｏ−Ｏに対して対称しており、第一対称軸Ｏ−Ｏは、第一方向Ｘに沿って延在されている。
【００１１】
各タッチ電極１１２は、複数の微小電極１１６との間に設置されたダミー電極（ｄｕｍｍｙ ｅｌｅｃｔｒｏｄｅ）１１７を備え、ダミー電極１１７は、微小電極１１６と複数の接続線路１１８とそれぞれ電気的絶縁されている。好ましくは、ダミー電極１１７の形状及び大きさは、隣接している微小電極１１６の形状と大きさと同じであり、各タッチ電極１１２の複数の微小電極１１６と複数のダミー電極１１７が全体的にマトリックス式に配列され、各行の微小電極１１６とダミー電極１１７とが互いに交差されている。他の実施形態において、ダミー電極１１７を省略してもよい。
【００１２】
具体的に説明すると、ダミー電極１１７を第一ダミー電極１１７ａ及び第二ダミー電極１１７ｂに割合する。本実施形態において、１つの列に位置し、且つ隣接する第一ダミー電極１１７ａ及び第二ダミー電極１１７ｂは、第一対称軸Ｏ−Ｏに対して対称する。他の実施形態において、第一微小電極１１６ａは、第一ダミー電極１１７ａと同じ列に位置し、且つ第一対称軸Ｏ−Ｏに対して対称し、第二微小電極１１６ｂは、第二ダミー電極１１７ｂと同じ列に位置し、且つ第一対称軸Ｏ−Ｏに対して対称する。
【００１３】
他の実施形態において、微小電極１１６及びダミー電極１１７のサイズが小さいので、実際設計中の実際要求によって、各タッチ電極１１２は、数百の微小電極１１６及びダミー電極１１７を備えるように設計され、図１及び図２中の各タッチ電極１１２は、８つの微小電極１１６及び８つのダミー電極１１７を備える。即ち、微小電極１１６及びダミー電極１１７の数量は、実際の要求によって設計される。
【００１４】
微小電極１１６の材料は、透明電極材料（例えば、ＩＴＯ、或いはＩＺＯ）から製造され、ダミー電極１１７の材料は、透明電極材料（例えば、ＩＴＯ、或いはＩＺＯ）から製造される。好ましくは、微小電極１１６とダミー電極１１７の材料は、同じ材料から製造され、且つ同じ１つの工程で形成される。接続線路１１８は、透明電極材料（例えば、ＩＴＯ、或いはＩＺＯ）から製造され、接続線路１１８の幅は、微小電極１１６の第一長さＸ１及び第二長さＹ１より小さく、接続線路１１８は、微小電極１１６、ダミー電極１１７と同じ材料から製造され、且つ同じ１つの工程で形成される。他の実施形態において、接続線路１１９は、金属線路であり、例えば、ナノ銀等の銀ペースト線路である。
【００１５】
従来の技術と比べて、本発明に係るタッチ電極１１２は、複数の微小電極１１６を備え、各微小電極１１６の第一長さＸ１及び第二長さＹ１は、それぞれ８０μｍより小さくて、このサイズでは微小電極１１６が観察し難く、タッチ電極１１２の輪郭及びパターンが観察し難いので、タッチ装置１００の視覚効果及び体験性を向上させる。
【００１６】
図３〜図５に示したように、第二実施例に係るタッチ装置、第三実施例に係るタッチ装置及び第四実施例に係るタッチ装置の構造は、第一実施例に係るタッチ装置１００の構造と同じであり、異なる構造は、各微小電極２１６、３１６，４１６は、複数のサブ電極２１９、３１９、４１９を備え、複数のサブ電極２１９、３１９、４１９の配列が平行四辺形を形成して、微小電極２１６、３１６，４１６が平行四辺形を形成する。具体的に説明すると、複数のサブ電極２１９、３１９、４１９は、三角形を呈し、且つ互いに電気的に接続される。本実施形態において、サブ電極２１９，３１９，４１９は、複数のサブ電極２１９、３１９、４１９で構成され、サブ電極２１９、３１９、４１９のサイズが更に小さいので、タッチ電極の輪郭及びパターンが観察し難く、タッチ装置の視覚効果及び体験性も優れる。
【００１７】
図６に示したように、第五実施例に係るタッチ装置の構造は、第一実施例に係るタッチ装置１００の構造と同じであり、異なる構造は、各微小電極５１６が、開口５１９を備え、開口５１９は、微小電極５１６の中央位置に位置し、開口５１９の形状は、矩形状を呈し、該矩形の四角個所には、面取りされている。他の実施形態において、開口５１９は、円形、楕円形、四辺形、三角形、或いは他の不規則の形状である。
【００１８】
図７に示したように、第六実施例に係るタッチ装置の構造は、第一実施例に係るタッチ装置１００の構造と同じであり、異なる構造は、各微小電極６１６は、２つの開口６１９を備え、開口６１９は、微小電極６１６の上部及び下部に位置し、且つ開口６１９の形状が楕円形である。他の実施形態において、開口６１９は、円形、楕円形、四辺形、三角形、或いは他の不規則な形状である。
【００１９】
図８に示したように、第七実施例に係るタッチ装置の構造は、第一実施例に係るタッチ装置１００の構造と同じであり、異なる構造は、微小電極の構造が異なる。第七実施例に係るタッチ装置の微小電極７１６の第一辺７１６１及び第二辺７１６２は、第一実施例に係るタッチ装置１００の微小電極の第一辺１１６１及び第二辺１１６２と同じだが、第七実施例に係るタッチ装置の微小電極７１６の第三辺７１６３及び第四辺７１６４は、それぞれ鋸歯状を呈すので、第一実施例に係るタッチ装置１００の微小電極の第三辺１１６３及び第四辺１１６４と異なる。
【００２０】
図９に示したように、第八実施例に係るタッチ装置の構造は、第一実施例に係るタッチ装置１００の構造と同じであり、異なる構造は、隣接している２つのタッチ電極８１２との間に形成された区間に複数のダミー電極８１７が設置され、複数にダミー電極８１７が隣接している２つのタッチ電極８１２との間に形成された区間を充満して、タッチ電極の輪郭及びパターンが観察し難く、タッチ装置の視覚効果及び体験性も優れる。
【００２１】
図１０に示したように、第九実施例に係るタッチ装置９００の構造は、複数のタッチ電極９１２を備え、複数のタッチ電極９１２は、第三方向Ｘ２に沿って延在した第一タッチ導線線路９１２ａ及び第四方向Ｙ２に沿って延在し、且つ第一タッチ導線線路９１２ａと絶縁交叉されている第二タッチ導線線路９１２ｂを備える。第一タッチ導線線路９１２ａ及び第二タッチ導線線路９１２ｂは、互いに絶縁し、且つ相互容量式タッチ装置を構成する。好ましくは、第三方向Ｘ２は、第四方向Ｙ２と垂直になる。
【００２２】
図１１に示したように、第一タッチ導線線路９１２ａの構造は、第一実施例に係るタッチ装置１００のタッチ電極１１２の構造と同じで、複数の微小電極９１６及び複数の接続線路９１８を備える。複数の微小電極９１６は、複数の接続線路９１８を介して接続し、各微小電極９１６は、第一方向Ｘに沿う第一長さＸ１及び第一方向Ｘ１と垂直になる第二方向Ｙに沿う第二長さＹ１を備え、第一長さＸ１は、第一方向Ｘに沿う最大の長さであり、第二長さＹ１は、第二方向Ｙに沿う最大の長さである。第一長さＸ１及び第二長さＹ１は、それぞれ８０μｍより小さく、或いは等しい。好ましくは、第一長さＸ１及び第二長さＹ１は、それぞれ５０μｍより大きく、或いは等しい。本実施形態において、第一方向Ｘは、第三方向Ｘ２と同じ方向であり、第二方向Ｙは、第四方向Ｙ２と同じ方向である。
【００２３】
各微小電極９１６は、互いに平行する第一辺９１６１と第二辺９１６２、第一辺９１６１の一端及び第二辺９１６２の一端と接続する第三辺９１６３、及び第一辺９１６１の別の一端及び第二辺９１６２の別の一端と接続する第四辺９１６４を備える。第一辺９１６１と第一方向Ｘとの間に形成された夾角を第一夾角θ１と設定し、第一夾角θ１の角度は、９０度より小さい。好ましくは、第一夾角θ１の角度は、３０度より大きく、６０度より小さくて、例えば、４５度が好ましい。第三辺９１６３と第四辺９１６４は、互いに平行して、各微小電極９１６が平行四辺形の形状である。第三辺９１６３及び第四辺９１６４は、それぞれ第一方向Ｘに沿って延在している。第一長さＸ１は、第三辺９１６３の長さであり、第二長さＹ１は、第三辺９１６３と第四辺９１６４との間の距離であり、即ち、平行四辺形の高さである。
【００２４】
複数の微小電極９１６は、第一微小電極９１６ａ及び第二微小電極９１６ｂを備え、第一微小電極９１６ａは、第二微小電極９１６ｂと第一方向Ｘに沿う対称軸に対して対称している。
【００２５】
各タッチ電極９１２は、複数の微小電極９１６との間に設置されたダミー電極９１７を備え、ダミー電極９１７は、微小電極９１６及び複数の接続線路９１８と電気的に絶縁される。好ましくは、ダミー電極９１７の形状及び大きさは、隣接する微小電極９１６の形状及び大きさと同じく、且つ各タッチ電極９１２の複数の微小電極９１６と複数のダミー電極９１７とがマトリックス式に配列し、各行の微小電極９１６は、ダミー電極９１７と交差している。他の実施形態において、ダミー電極９１７は、省略する。
【００２６】
具体的説明すると、ダミー電極９１７を第一ダミー電極９１７ａ及び第二ダミー電極９１７ｂに割合し、第一ダミー電極９１７ａと第二ダミー電極９１７ｂとは、第一方向Ｘに沿う対称軸に対して対称するように設置する。本実施形態において、同じ１例に位置し、且つ隣接する第一微小電極９１６ａと第二微小電極９１６ｂとは、第一方向Ｘに沿う対称軸に対して対称するように設置する。他の実施形態において、第一微小電極９１６ａは、第一ダミー電極９１７ａと同じ例に位置し、第一方向Ｘに沿う対称軸に対して対称するように設置し、第二微小電極９１６ｂは、第二ダミー電極９１７ｂと同じ例に位置し、且つ第一方向Ｘに沿う対称軸に対して対称するように設置する。
【００２７】
微小電極９１６の材料は、透明電極材料（例えば、ＩＴＯ、或いはＩＺＯ）から製造され、ダミー電極９１７の材料は、透明電極材料（例えば、ＩＴＯ、或いはＩＺＯ）から製造される。好ましくは、微小電極９１６とダミー電極９１７の材料は、同じ材料から製造され、且つ同じ１つの工程で形成される。接続線路９１８は、透明電極材料（例えば、ＩＴＯ、或いはＩＺＯ）から製造され、接続線路９１８の幅は、微小電極９１６の第一長さＸ１及び第二長さＹ１より小さく、接続線路９１８は、微小電極９１６、ダミー電極９１７と同じ材料から製造され、且つ同じ１つの工程で形成される。他の実施形態において、接続線路９１９は、金属線路であり、例えば、ナノ銀等の銀ペースト線路である。
【００２８】
図１２に示したように、第二タッチ導線線路９１２ｂの構造は、第一実施例に係るタッチ装置１００のタッチ電極１１２の構造と同じで、複数の微小電極９１６及び複数の接続線路９１８を備える。複数の微小電極９１６は、複数の接続線路９１８を介して互いに接続し、各微小電極９１６は、第一方向Ｘに沿う第一長さＸ１及び第一方向Ｘ１と垂直になる第二方向Ｙに沿う第二長さＹ１を備え、第一長さＸ１は、第一方向Ｘに沿う最大の長さであり、第二長さＹ１は、第二方向Ｙに沿う最大の長さである。第一長さＸ１及び第二長さＹ１は、それぞれ８０μｍより小さく、或いは等しい。好ましくは、第一長さＸ１及び第二長さＹ１は、それぞれ５０μｍより大きく、或いは等しい。本実施形態において、第一方向Ｘは、第三方向Ｘ２と同じ方向であり、第二方向Ｙは、第四方向Ｙ２と同じ方向である。
【００２９】
各微小電極９１６は、互いに平行する第一辺９１６１と第二辺９１６２、第一辺９１６１の一端及び第二辺９１６２の一端と接続する第三辺９１６３、及び第一辺９１６１の別の一端及び第二辺９１６２の別の一端と接続する第四辺９１６４を備える。第一辺９１６１と第一方向Ｘとの間に形成された夾角を第一夾角θ１と設定し、第一夾角θ１の角度は、９０度より小さい。好ましくは、第一夾角θ１の角度は、３０度より大きく、６０度より小さくて、例えば、４５度が好ましい。第三辺９１６３と第四辺９１６４は、互いに平行して、各微小電極９１６が平行四辺形の形状である。第三辺９１６３及び第四辺９１６４は、それぞれ第一方向Ｘに沿って延在している。第一長さＸ１は、第三辺９１６３の長さであり、第二長さＹ１は、第三辺９１６３と第四辺９１６４との間の距離であり、即ち、平行四辺形の高さである。
【００３０】
複数の微小電極９１６は、第一微小電極９１６ａ及び第二微小電極９１６ｂを備え、第一微小電極９１６ａは、第二微小電極９１６ｂと第一方向Ｘに沿う対称軸に対して対称する。
【００３１】
各タッチ電極９１２は、複数の微小電極９１６との間に設置されたダミー電極９１７を備え、ダミー電極９１７は、微小電極９１６及び複数の接続線路９１８と電気的に絶縁される。好ましくは、ダミー電極９１７の形状及び大きさは、隣接する微小電極９１６の形状及び大きさと同じく、且つ各タッチ電極９１２の複数の微小電極９１６と複数のダミー電極９１７とがマトリックス式に配列し、各行の微小電極９１６は、ダミー電極９１７と交差している。他の実施形態において、ダミー電極９１７は、省略する。
【００３２】
具体的説明すると、ダミー電極９１７を第一ダミー電極９１７ａ及び第二ダミー電極９１７ｂに割合し、第一ダミー電極９１７ａと第二ダミー電極９１７ｂとは、第一方向Ｘに沿う対称軸に対して対称するように設置する。本実施形態において、同じ１例に位置し、且つ隣接する第一微小電極９１６ａと第二微小電極９１６ｂとは、第一方向Ｘに沿う対称軸に対して対称するように設置する。他の実施形態において、第一微小電極９１６ａは、第一ダミー電極９１７ａと同じ例に位置し、第一方向Ｘに沿う対称軸に対して対称するように設置し、第二微小電極９１６ｂは、第二ダミー電極９１７ｂと同じ例に位置し、且つ第一方向Ｘに沿う対称軸に対して対称するように設置する。
【００３３】
微小電極９１６の材料は、透明電極材料（例えば、ＩＴＯ、或いはＩＺＯ）から製造され、ダミー電極９１７の材料は、透明電極材料（例えば、ＩＴＯ、或いはＩＺＯ）から製造される。好ましくは、微小電極９１６とダミー電極９１７の材料は、同じ材料から製造され、且つ同じ１つの工程で形成される。接続線路９１８は、透明電極材料（例えば、ＩＴＯ、或いはＩＺＯ）から製造され、接続線路９１８の幅は、微小電極９１６の第一長さＸ１及び第二長さＹ１より小さく、接続線路９１８は、微小電極９１６、ダミー電極９１７と同じ材料から製造され、且つ同じ１つの工程で形成される。他の実施形態において、接続線路９１９は、金属線路であり、例えば、ナノ銀等の銀ペースト線路である。
【００３４】
第一タッチ導線線路９１２ａの微小電極９１６は、第二タッチ導線線路９１２ｂのダミー電極と対応して設置し、即ち、タッチ装置９００と垂直になる方向に沿って観察すると、第一タッチ導線線路９１２ａの微小電極９１６は、第二タッチ導線線路９１２ｂのダミー電極と絶縁交叉（即ち、平面位置が交叉している）している。このような設計は、線路と線路との干渉を減少して、タッチ検測の正確性及び信頼度を向上させる。
【００３５】
図１３に示したように、第十実施例に係るタッチ装置９５０の構造は、第九実施例に係るタッチ装置９００の構造と同じであり、異なる構造は、第十実施例に係るタッチ装置９５０の第二タッチ導線線路９６２ｂの構造が第九実施例に係るタッチ装置９００の第二タッチ導電線路９１２ｂの構造と異なる。第二タッチ導電線路９６２ｂの形状は、長方形を呈し、微小電極、接続線路及びダミー電極等を備えない構造であり、且つ第二タッチ導電線路９６２ｂは、第一タッチ導電線路９６２ａと接続線路９６８の位置で交叉して、第二タッチ導電線路９６２ｂが第一タッチ導電線路９６２ａの微小電極９６６及びダミー電極９６７と平面位置で交叉してない。
【００３６】
図１４に示したように、第十一実施例に係るタッチ装置１５０は、ディスプレイパネル１６０及びディスプレイパネル１６０の上に設置されたタッチ構造１７０を備える。タッチ構造１７０は、基板１８０及び基板１８０に設置されたタッチ電極層１９０を備える。タッチ電極層１９０は、複数のタッチ電極を備え、複数のタッチ電極は、第一実施例〜第十実施例のタッチ電極の構造と同じので、タッチ電極の説明を省略する。タッチ構造１７０は、接着剤によってディスプレイパネル１６０に接着される。ディスプレイパネル１６０は、液晶ディスプレイパネル、或いは自発光型のディスプレイパネルである。
【００３７】
図１５に示したように、ディスプレイパネル１６０は、第一方向Ｘに沿って延在した第一駆動線路１６１（例えば、走査線）、第二方向Ｙに沿って延在した第二駆動線路１６２（例えば、データ線）、第一駆動線路１６１と第二駆動線路１６２とが交叉して形成されたピクセル区域ＰＸを備え、該ピクセル区域ＰＸが複数のマトリックスに配列している。
【００３８】
図１６に示したように、第十二実施例に係るタッチ装置の構造は、第十一実施例に係るタッチ装置の構造と同じであり、異なる構造は、第十二実施例に係るタッチ装置の第二駆動線路２６２は、ジグザグ（ｚｉｇｚａｇ）形状を呈して、ピクセル区域ＰＸが平行四辺形を呈す。
【００３９】
図１７に示したように、第十三実施例に係るタッチ装置３５０は、第一基板３５１、第二基板３５２、第一基板３５１と第二基板３５２との間に設置されたディスプレイ媒体層３５３（例えば、液晶層）、及びタッチ電極層３６０を備える。第一基板３５１は、色フィルタ基板、或いは対向基板であり、第二基板３５２は、薄膜トランジスタ(ＴＦＴ)基板である。第二基板３５２は、薄膜トランジスタ駆動層３５４を備え、図１５及び図１６に示したように、薄膜トランジスタ駆動層３５４は、第一駆動線路及び第二駆動線路を備え、タッチ電極層３６０は、直接に第一基板３５１に形成され、且つ複数のタッチ電極を備える。複数のタッチ電極は、第一実施例から第十実施例に係るタッチ電極の構造中のいずれ１つの構造なので、ここでは、タッチ電極の構造に対する説明を省略する。
【００４０】
図１８に示したように、第十四実施例に係るタッチ装置４５０は、第一基板４５１、第二基板４５２、第一基板４５１と第二基板４５２との間に設置されたディスプレイ媒体層４５３（例えば、液晶層）、及びタッチ電極層４６０を備える。第一基板４５１は、色フィルタ基板、或いは対向基板であり、第二基板４５２は、薄膜トランジスタ(ＴＦＴ)基板である。第二基板４５２は、薄膜トランジスタ駆動層４５４を備え、図１５及び図１６に示したように、薄膜トランジスタ駆動層３５４は、第一駆動線路及び第二駆動線路を備え、タッチ電極層４６０は、直接に第二基板４５２に形成され、且つ絶縁層４５５を介して薄膜トランジスタ駆動層４５４と絶縁するように設置される。複数のタッチ電極は、第一実施例〜第十実施例に係るタッチ電極の構造の１つなので、タッチ電極の説明を省略する。
【符号の説明】
【００４１】
１００、９００、９５０、１５０、３５０、４５０  タッチ装置
１１０  タッチ電極層
１３０  タッチ回路
１１２、８１２  タッチ電極
１１４  導線
Ｘ  第一方向
Ｙ  第二方向
１１６、２１６、３１６、４１６、５１６、６１６、７１６、９１６、９６６  微小電極
１１８、９１８、９６８  接続線路
Ｘ１  第一長さ
Ｙ１  第二長さ
１１６１、７１６１、９１６１  第一辺
１１６２、７１６２、９１６２  第二辺
１１６３、７１６３、９１６３  第三辺
１１６４、７１６４、９１６４  第四辺
Ｏ−Ｏ  第一対称軸
１１６ａ、９１６ａ  第一微小電極
１１６ｂ、９１６ｂ  第二微小電極
１１７、８１７、９１７、９６７  ダミー電極
１１７ａ、９１７ａ  第一ダミー電極
１１７ｂ、９１７ｂ  第二ダミー電極
２１９、３１９、４１９  サブ電極
５１９、６１９  開口
Ｘ２  第三方向
Ｙ２  第四方向
９１２ａ、９６２ａ  第一タッチ導電線路
９１２ｂ、９６２ｂ  第二タッチ導電線路
１６０  ディスプレイパネル
１７０  タッチ構造
１８０  基板
１９０  タッチ電極層
１６１  第一駆動線路
１６２、２６２  第二駆動線路
ＰＸ  ピクセル区域
３５１、４５１  第一基板
３５２、４５２  第二基板
３５３、４５３  ディスプレイ媒体層
３６０、４６０  タッチ電極層
３５４、４５４  薄膜トランジスタ駆動層
４５５  絶縁層
【図１】
2016224902.tif 000003
【図２】
2016224902.tif 000004
【図３】
2016224902.tif 000005
【図４】
2016224902.tif 000006
【図５】
2016224902.tif 000007
【図６】
2016224902.tif 000008
【図７】
2016224902.tif 000009
【図８】
2016224902.tif 000010
【図９】
2016224902.tif 000011
【図１０】
2016224902.tif 000012
【図１１】
2016224902.tif 000013
【図１２】
2016224902.tif 000014
【図１３】
2016224902.tif 000015
【図１４】
2016224902.tif 000016
【図１５】
2016224902.tif 000017
【図１６】
2016224902.tif 000018
【図１７】
2016224902.tif 000019
【図１８】
2016224902.tif 000020